(57)【要約】      （修正有）【課題】照明の明度を高めることができる照明カバーを提供する。【解決手段】照明カバーは、使用時に照明具の発光源上方の、発光源に近い位置に固定され、少なくとも五面の真っ直ぐな反射面体からなり、しかも相互に隣接する反射面体はすべて、屈折角度を備えて組成する。【選択図】図１
0003158428.tif 000002
【実用新案登録請求の範囲】
【請求項１】
照明具の発光源上方に使用し、前記発光源の光線を反射して集めることができ、
前記照明カバーは、少なくとも五面の真っ直ぐな反射面体からなり、しかも相互に隣接する反射面体はすべて、屈折角度を備えて組成することを特徴とする照明カバー。
【請求項２】
請求項１記載の照明カバーにおいて、前記照明カバーと前記照明具との間は、磁力吸着部品により吸着して定位することを特徴とする照明カバー。
【考案の詳細な説明】
【技術分野】
【０００１】
本考案は照明カバーに関し、特に少なくとも五面反射の面体で、しかも相互に隣接する反射面体間には屈折角度を備え、これにより使用時に、反射を集めることで照明の明度を高めることができる照明カバーに関する。
【背景技術】
【０００２】
照明器具の発光源は、光線を発するために設置される。しかし、それが発する光線は、さまざまな方向へと発せられるため、普通は、発光源上方の発光源に近い位置に、照明カバーを設置する。これにより、発光源の光線は、できるだけ下方へと反射するようになり、光を集め、下方の照明の明度を向上させることができる。
【０００３】
しかし、従来の照明カバーは、組成構造が完璧ではないため、反射光線を集める効果が高くなく、改良が待たれている。一方、世界全体で過度のエネルギーが消費され、環境に対して深刻な悪影響を及ぼしている現在、省エネ、二酸化炭素削減、環境保護は、現代人にとって忘れてはならない課題である。
これを照明器具に応用し、本考案は発光源の光線を確実に下向きに反射させ、下方へと光線を集め、照明の明度を高めることができる照明カバーを提示し、こうして発光源の使用量を減らして、省エネの目標を達成することができる。
【考案の概要】
【考案が解決しようとする課題】
【０００４】
本考案が解決しようとする課題は、発光源の光線をすべて下向きに反射させ、下方へと光線を集めて照明の明度を上げることができる照明カバーを提供することである。
【課題を解決するための手段】
【０００５】
上記課題を解決するため、本考案は下記の照明カバーを提供する。
照明カバーは、照明具の発光源上方に使用し、該発光源の光線を反射して集めることができ、
該照明カバーは、少なくとも五面の真っ直ぐな反射面体からなり、しかも相互に隣接する反射面体はすべて、屈折角度を備えて組成し、
使用時には、反射面体へと発せられる光線をすべて反射して、光線を集めることで照明の明度を高めることができ、
該照明カバーと該照明具との間は、磁力吸着部品により吸着して定位する。
【考案の効果】
【０００６】
本考案照明カバーは、少なくとも五面の真っ直ぐな反射面体により組成し、しかも相互に隣接する反射面はすべて、屈折角度を備えて組成するため、使用時に本考案の照明カバーを照明具の発光源上方の発光源に近い位置に固定することで、反射面体へと発せられる光線を反射させ、光線を集めて照明の明度を向上させることができる。
【図面の簡単な説明】
【０００７】
【図１】本考案実施例の俯瞰立体図である。
【図２】本考案実施例の仰角立体図である。
【図３】本考案実施例の側面図である。
【図４】本考案実施例の一般使用の様子を示す側面模式図である。
【図５】本考案実施例の一般使用の様子を示す正面模式図である。
【図６】本考案実施例の一般使用の様子を示す作用模式図である。
【図７】本考案実施例の変化使用の様子を示す側面模式図である。
【図８】本考案実施例の別種の変化使用の様子を示す側面模式図である。
【考案を実施するための形態】
【０００８】
図１、２、３に示すように、本考案実施例の照明カバー１０の本体は、七面の真っ直ぐな反射面体により組成し、中央に位置する中央板体１１、それに続いて左右側に位置する第一左板体１２と第一右板体１３、さらにそれに続く第二左板体１４と第二右板体１５、及びさらにそれに続く左側板体１６と右側板体１７に区分される。
中央板体１１は、基準としての水平面(角度０)であることを基本とする。これに続く、第一左板体１２と第一右板体１３とは共に、下方へと少しの角度屈折するため、中央板体１１との間に、それぞれ境界線１２１、１３１が存在する。同様に、第二左板体１４と第二右板体１５も共に、下方へと少しの角度屈折するため、第一左板体１２と第一右板体１３との間に、それぞれ境界線１４１、１５１が存在する。さらに、左側板体１６と右側板体１７も共に、下方へと少しの角度屈折するため、第二左板体１４と第二右板体１５との間に、それぞれ境界線１６１、１７１が存在する。
【０００９】
上記した構造により、本考案の照明カバー１０の組成を完成する。使用時には、本考案の照明カバー１０を照明具３０の発光源３１上方の、発光源３１に近い位置に固定する。その固定方式及び装置は、さまざまな方式を用いることができ、一切の制限はない。本考案の照明カバー１０は、平板状板体を加工して屈折させたものであるため、図１、２、３に示すように、磁力吸着部品２０を用いて、中央板体１１上に磁力により吸着させることができる。
つまり、図４、５に示すように、照明カバー１０を発光源３１の上方空間に設置する時、磁力吸着部品２０と照明具３０の面体とは、磁力により吸着される。こうして、各磁力吸着部品２０の磁力吸着作用により、照明カバー１０を照明具３０の発光源３１上方に便利に固定することができ、しかも発光源３１に隣接させることができる。各磁力吸着部品２０を利用することで、照明カバー１０を、照明具３０の発光源３１上方に便利に随時、固定することができる他、照明カバー１０を照明具３０から便利に随時、取り外すことができる。
【００１０】
但し、磁力吸着部品２０の利用は、本考案の最適実施例に過ぎず、本考案の実用新案請求範囲を制限するものではない。本考案の照明カバー１０を、照明具３０の発光源３１上方の、発光源３１に近い位置に固定することができる、他のあらゆる方法及び装置はすべて、本考案の実用新案請求範囲に含むものとする。本考案の照明カバー１０は、平板状の板体を加工して屈折させ組成するため、中央板体１１、第一左板体１２、第一右板体１３、第二左板体１４、第二右板体１５、左側板体１６、右側板体１７は、それぞれすべて真っ直ぐな反射面体である。
よって、一般の使用時には図６に示すように、照明カバー１０は、発光源３１が発する光線をすべて下向きに反射することができるため、発光源３１下方の照明の明度は大幅に向上する。よって、照明具３０上に本考案の照明カバー１０を組み合わせて使用する場合には、同一空間での比較において、照明具３０の発光源３１の個数を減らすことができ、すなわちエネルギー消費を大幅に縮小することができる。
【００１１】
本考案の一般の使用方式は、図４、５、６に示すが、実際の使用時には、これに限定するものではない。よって、使用者が発光源３１下方左側の空間の明度を上げたいと思えば、図７に示すように、中央板体１１と磁力吸着部品２０との接合方式を採用せずに、第一左板体１２、或いは第二左板体１４、或いは左側板体１６と磁力吸着部品２０による接合方式(図７は、第二左板体１４と磁力吸着部品２０とによる接合を示す)を採用する。こうして、発光源３１下方左側の空間の明度を上げることができる。
【００１２】
同様に、使用者が発光源３１下方右側の空間の明度を上げたいと思えば、図８に示すように、第一右板体１３、或いは第二右板体１５、或いは右側板体１７と磁力吸着部品２０による接合方式(図８は、第二右板体１５と磁力吸着部品２０とによる接合を示す)を採用する。こうして、発光源３１下方右側の空間の明度を上げることができる。すなわち、その使用方式は、使用者の自由意志に応じて、決定することができる。
【００１３】
上記した実施例は、七面の真っ直ぐな反射面体により組成する照明カバー１０を例とするが、実際の実施においては、五面以上の反射面体により組成すれば、下向きの明度を高める効果を達成することができる。
【００１４】
以上の説明により明らかなように、本考案の照明カバー１０は少なくとも五面の真っ直ぐな反射面体により組成し、しかも相互に隣接する反射面はすべて、屈折角度を備えて組成するため、使用時に本考案の照明カバー１０を照明具３０の発光源３１上方の発光源３１に近い位置に固定することで、反射面体へと発せられる光線を反射させ、光線を集めて照明の明度を向上させることができる。
【符号の説明】
【００１５】
１０  照明カバー
１１  中央板体
１２  第一左板体
１３  第一右板体
１４  第二左板体
１５  第二右板体
１６  左側板体
１７  右側板体
１２１、１３１、１４１、１５１、１６１、１７１  境界線
２０  磁力吸着部品
３０  照明具
３１  発光源
【図１】
0003158428.tif 000003
【図２】
0003158428.tif 000004
【図３】
0003158428.tif 000005
【図４】
0003158428.tif 000006
【図５】
0003158428.tif 000007
【図６】
0003158428.tif 000008
【図７】
0003158428.tif 000009
【図８】
0003158428.tif 000010
【手続補正書】
【提出日】平成22年1月21日(2010.1.21)
【手続補正１】
【補正対象書類名】実用新案登録請求の範囲
【補正対象項目名】請求項１
【補正方法】変更
【補正の内容】
【請求項１】
照明具の発光源上方に使用し、前記発光源の光線を反射して集めることができ、
照明カバーは、少なくとも五面の真っ直ぐな反射面体からなり、しかも相互に隣接する反射面体はすべて、屈折角度を備えて組成することを特徴とする照明カバー。